(57)【要約】【課題】基地局が意図する任意のタイミングで移動局に通信を開始させることができる通信システムを提供することを目的とする。【解決手段】移動局が基地局に対して通信開始要求をする移動局主導通信の開始要求を、基地局から移動局へ指示をする信号を生成する通信要求指示手段を基地局が備え、通信要求の指示に基づいて移動局主導通信による通信を行なう移動局側移動局主導通信手段を移動局が備えることにより、移動局側から通信を開始しなければならないインターネット接続の場合でも、基地局が意図する任意のタイミングで移動局に通信を開始させることができる。【選択図】図１
2005229367.tif 000002
【特許請求の範囲】
【請求項１】
互いに無線通信により通信を行う移動局及び基地局を有し、前記移動局側から前記基地局に対して通信を開始する移動局主導通信により通信を行う通信システムであって、前記基地局は、前記移動局が前記基地局に対して前記移動局主導通信の開始を要求するように指示をする信号を生成する通信要求指示手段と、前記通信要求の指示を前記移動局へ送信する基地局側送信手段と、前記移動局主導通信を行なう基地局側移動局主導通信手段を備え、前記移動局は、前記基地局側送信手段から送信された前記通信要求の指示を受信する移動局側受信手段と、前記移動局側受信手段で受信した前記通信要求の指示に基づいて前記移動局主導通信による通信を行なう移動局側移動局主導通信手段を備えたことを特徴とする通信システム。
【請求項２】
前記無線通信は、狭域無線通信であることを特徴とする請求項１に記載の通信システム。
【請求項３】
前記通信要求指示手段は、前記移動局主導通信を介して接続する宛先のアドレスを含む通信要求指示を生成し、前記移動局側受信手段は、受信した前記通信要求指示から前記接続先アドレスを抽出し、前記移動局側移動局主導通信手段は、前記接続先アドレスとの通信を前記基地局側移動局主導通信手段に要求することを特徴とする請求項１または２に記載の通信システム。
【請求項４】
前記移動局主導通信は、インターネット・プロトコル転送による通信であることを特徴とする請求項１乃至３に記載の通信システム。
【請求項５】
前記基地局側送信手段と前記移動局側受信手段との間の通信は、前記インターネット・プロトコル転送とは異なる転送であることを特徴とする請求項１乃至４のいずれかに記載の通信システム。
【請求項６】
前記基地局側送信手段と前記移動局側受信手段との間の通信は、前記インターネット・プロトコル転送による移動局主導通信とは別の通信ポートにより行なわれることを特徴とする請求項４に記載の通信システム。
【請求項７】
前記基地局側送信手段と前記移動局側受信手段との間の通信は、広域無線通信であることを特徴とする請求項１乃至６のいずれかに記載の通信システム。
【請求項８】
移動局から基地局に対して通信を開始する移動局主導通信による通信を行なうに際し、前記移動局が前記基地局に対して前記移動局主導通信の開始を要求するように指示をする信号を生成する通信要求指示手段と、前記通信要求の指示を前記移動局へ送信する基地局側送信手段と、前記移動局主導通信を行なう基地局側移動局主導通信手段とを備え、前記移動局が、前記基地局側送信手段から送信された前記通信要求の指示を受信し、受信した前記通信要求の指示に基づいて前記移動局主導通信による通信を行なうことを特徴とする基地局。
【請求項９】
移動局から基地局に対して通信を開始する移動局主導通信による通信を行なうに際し、前記基地局から送信された前記移動局主導通信の開始の要求を指示する通信開始要求指示を受信する移動局側受信手段と、前記移動局側受信手段で受信した前記通信要求指示に基づいて基地局に対して前記移動局主導通信による通信を行なう移動局側移動局主導通信手段とを備えたことを特徴とする移動局。
【発明の詳細な説明】
【技術分野】
【０００１】
本発明は基地局と移動局との間の通信システムに関するものである。
【背景技術】
【０００２】
従来、この種の通信システムとしては、たとえば、特許文献１に記載されているようなものがあった。
【０００３】
特許文献１に記載された通信システムは、広告情報を送信する路側無線装置と、広告情報を受信する車載器とからなり、車載器が路側無線装置との通信可能エリア内に接近した時に、車載機内のディスプレイに、位置情報やホームページ情報や電話番号情報などの必要とする情報を選択する画面を表示し、ユーザーが画面上で必要な広告情報を選択するものであった。
【０００４】
したがって、この場合、初期接続時に受信した広告情報からインターネットのＵＲＬを読み取り、その読み取られたＵＲＬを用いてインターネット上のＷｅｂサイトに自動的に接続する。
【特許文献１】特開２００１−１０１５７８号公報
【発明の開示】
【発明が解決しようとする課題】
【０００５】
しかしながら、特許文献１に記載された従来の通信システムにおいては、車載機使用者がホームページ情報を必要とする場合には、まず画面上での選択という動作が必要であり、車載機使用者が運転中の場合は危険が伴う。
【０００６】
また、ホームページの広告情報は無線通信の初期接続時にのみ送信され、インターネット接続の開始は車載器使用者からの指示によりなされている。
【０００７】
したがって、例えば、無線通信を用いて路側機にて車載器の認証を行うシステムにおいて、認証処理完了時に車載器の画面に結果を表示させるような場合や、ＩＣカードリーダーを搭載した車載器とＰＯＳ端末機を接続した路側機間で決済を行うＩＣカード決済システムにおいて、車載器からＩＣカード情報を受信した場合の処理結果を車載器の画面で表示する場合などのように、移動局側から通信を開始しなければならないインターネット接続に関しては、上記した従来のシステムでは、基地局が意図する任意のタイミングで移動局に通信を開始させることが出来ないという問題があった。
【０００８】
本発明は、従来の問題を解決するためになされたもので、移動局側から開始しなければならない通信を、基地局が意図する任意のタイミングで、移動局側に開始させることが出来る通信システムを提供することを目的とする。
【課題を解決するための手段】
【０００９】
本発明の通信システムは、基地局と、前記基地局と無線通信により通信を行う移動局とを含む通信システムであって、前記基地局と前記移動局は、前記移動局側から通信を開始する移動局主導通信により通信を行い、
前記基地局は、前記移動局に対して前記移動局主導通信の開始を要求する移動局主導通信要求手段を備え、前記移動局は、前記基地局からの前記移動局主導通信の開始の要求を受け、前記移動局主導通信による通信を開始する移動局主導通信開始手段を備えるという構成を有している。
【００１０】
この構成により、移動局側から開始しなければならない通信を、基地局が意図する任意のタイミングで、移動局に開始させることが出来るという効果を生ずる。
【発明の効果】
【００１１】
本発明は、移動局側から開始しなければならない通信を、基地局が意図する任意のタイミングで、移動局側に開始させることが出来るという効果を生ずる。
【発明を実施するための最良の形態】
【００１２】
以下、本発明の実施の形態の通信システムについて、図面を用いて説明する。
【００１３】
本発明の一実施の形態の通信システムのブロック図を図１に示す。
【００１４】
図１において、本実施の形態の通信システムは、基地局通信装置１と移動局通信装置２とを含む。
【００１５】
基地局通信装置１は、ＤＳＲＣ（専用狭域通信）を行う無線通信部１１と、ＨＴＴＰによる通信を行うＩＰ系通信部１２と、ＨＴＴＰとは異なる通信を行う非ＩＰ系通信部１３と、ＨＴＴＰによるプログラムを実行するＨＴＴＰサーバ部１４と、ＨＴＴＰによる通信の開始の要求を指示する指示信号を出力するＨＴＴＰ開始要求指示部１５と、以下で述べるアルゴリズムを実行できるプログラムを有する基地局アプリケーション部１６と、移動局に送るべきデータを収納したデータ部１７を備えている。
【００１６】
一方、移動局通信装置２は、ＤＳＲＣ（専用狭域通信）を行う無線通信部２１と、ＨＴＴＰによる通信を行うＩＰ系通信部２２と、ＨＴＴＰとは異なる通信を行う非ＩＰ系通信部２３と、ＨＴＴＰによる通信の開始の要求を指示する信号を受信して処理するＨＴＴＰ開始要求処理部２４と、ＨＴＴＰによるプログラムを実行するＨＴＴＰクライアント部２５と、以下で述べるアルゴリズムを実行できるプログラムを有する移動局アプリケーション部２６と、基地局から送られてきたデータ情報を表示する表示部２７とを備えている。
【００１７】
すなわち、無線通信部１１および２１は、ＤＳＲＣ（専用狭域通信）による通信を行い、基地局通信装置１のＩＰ系通信部１２および非ＩＰ系通信部１３は、無線通信部１１、２１を介して、移動局通信装置２のＩＰ系通信部２２および非ＩＰ系通信部２３とそれぞれ通信を行う。
【００１８】
また、移動局通信装置２のＨＴＴＰクライアント部２５と基地局通信装置１のＨＴＴＰサーバ部１４は、ＩＰ系通信部１２、２２によるＴＣＰ／ＩＰやＵＤＰ／ＩＰの通信を介して、ＨＴＴＰクライアント部２５がＨＴＴＰ要求を送信し、ＨＴＴＰサーバ部１４が要求を処理してＨＴＴＰクライアント部２５へ返送する。
【００１９】
以上のように構成された本発明の通信システムについて、図２を用いてその動作を説明する。本発明の一実施の形態の通信システムの動作を示すフロー図を図２に示す。
【００２０】
まず、基地局通信装置１の通信エリア内に移動局通信装置２が進入する（Ｓ１０１）と、基地局通信装置１の基地局アプリケーション部１６と移動局通信装置２の移動局アプリケーション部２６は、それぞれの非ＩＰ通信部１３、２３によるアプリケーション通信を行う（Ｓ１０２）。すなわち、基地局アプリケーション部１６は、非ＩＰ系通信部１３を介して、移動局アプリケーション部２６へ処理要求を送信し、移動局アプリケーション部２６は、非ＩＰ系通信部２３を介して、基地局アプリケーション部１６へ処理要求の応答を送信する。基地局通信装置１と移動局通信装置２との間でこの要求と応答を繰り返すこ
とにより、例えば決済処理を実行することが出来る。
【００２１】
次に、基地局アプリケーション部１６は、決済処理の完了など移動局アプリケーション２６との一定の処理が終了すると、ＨＴＴＰによる通信が必要かどうかを判断する（Ｓ１０３）。
ＨＴＴＰによる通信が必要な場合は、移動局通信装置２が基地局通信装置１に対してＨＴＴＰ通信の開始の要求をするように、基地局アプリケーション部１６によって、ＨＴＴＰ開始要求指示部１５が指示信号を出力し、ＨＴＴＰ開始要求指示部１５は、非ＩＰ系通信部１３を介して、移動局通信装置２がＨＴＴＰによる通信を要求するように指示する（Ｓ１０４）。
【００２２】
移動局通信装置２のＨＴＴＰ開始要求処理部２４は、無線通信部２１、非ＩＰ系通信部２３を介して、上記ＨＴＴＰによる通信の要求指示を受信し、ＨＴＴＰクライアント部２５に、ＨＴＴＰによる通信を開始するように指示すると、ＨＴＴＰクライアント部２５は、ＩＰ系通信部２２、無線通信部２１を介して、基地局通信装置１とＨＴＴＰによる通信の開始を要求する（Ｓ１０５）。
【００２３】
基地局通信装置１のＨＴＴＰサーバ部１４は、無線通信部１１、ＩＰ系通信部１２を介して、移動局通信装置１から送られるデータ要求などＨＴＴＰのメッセージを受信し、ＨＴＴＰ通信開始要求に対する該当データの返信を行う（Ｓ１０６）。
【００２４】
移動局通信装置２のＨＴＴＰクライアント部２５は、無線通信部２１、ＩＰ系通信部２２を介してＨＴＴＰ通信開始要求に対するデータの返信を受信し、受信データが画面表示データなどであれば、表示部２７により画面表示を行う（Ｓ１０７）。
【００２５】
その後、再び非ＩＰ系通信によるアプリケーション通信が必要かどうかを判断し（Ｓ１０８）、必要な場合は、画面表示の処理終了後に、Ｓ１０２から引き続き通信を行い、必要でない場合は、これで終了する。
【００２６】
なお、Ｓ１０３でＨＴＴＰによる通信が必要でないと判断した場合は、即座にＳ１０８の判断に移る。
【００２７】
さらに、図２を用いて、本発明の具体的な例として、移動体である車両がレストランなどの店の駐車場に進入し、インターネット経由で情報を入手する場合を説明する。
【００２８】
まず、基地局通信装置１が形成する通信エリアに、ＩＣカードなどが挿着された移動局通信装置２を搭載する車両が進入する（Ｓ１０１）。
【００２９】
次に、基地局通信装置１および移動局通信装置２のそれぞれの無線通信部１１と２１の間で狭域無線通信による通信が確立され、確立したことが基地局通信装置１の基地局アプリケーション部１６に通知される（Ｓ１０２）。
【００３０】
基地局アプリケーション部１６は、非ＩＰ系通信部１３および無線通信部１１を介して、移動局通信装置２に、図示しないＩＣカードの情報（ＩＣカードのＩＤや有効期限など）を一般的な方法で要求し、移動局通信装置２の無線通信部２１は、非ＩＰ系通信部２３を介して移動局アプリケーション部２６にその要求信号を送る。
【００３１】
移動局アプリケーション部２６は、挿着されたＩＣカードからＩＤなどの情報を取り出して非ＩＰ系通信部２３、無線通信部２１を介して基地局通信装置１に送り、基地局通信装置１の無線通信部１１は、受信したＩＣカードの情報を非ＩＰ系通信部１３を介して基
地局アプリケーション部１６に送る。
【００３２】
次に、基地局アプリケーション部１６は、送られたＩＣカード情報をカード会社に照会して、そのＩＣカードが有効か無効かを判断する。その結果は移動局の使用者に連絡する必要があるため、基地局通信装置１では今後ＨＴＴＰによる通信が必要であると判断する（Ｓ１０３）。
【００３３】
すなわち、ＩＣカードが無効と判断された場合には、その旨を移動局使用者に知らせる表示を行う表示データ、例えば、“あなたのカードは無効です”の表示データが、一方、ＩＣカードが有効と判断された場合には、例えば、“いらっしゃいませ”の表示データをＨＴＴＰ通信により移動局が入手する必要があると判断する。
【００３４】
次に、基地局通信装置１は、ＩＣカードが有効か無効かの結果に基づいて、例えば、その結果を表示するための表示データ（例えば、“いらっしゃいませ”）を有するデータ部１７のＵＲＬを生成し、移動局通信装置２がＨＴＴＰの通信の開始を要求するように信号をＨＴＴＰ開始要求指示部１５に送る（Ｓ１０４）。
【００３５】
ＨＴＴＰ開始要求指示部１５は、ＵＲＬを開始要求指示信号に変えて、非ＩＰ系通信部１３、無線通信部１１を介して移動極通信装置２に送り、移動極通信装置２がＨＴＴＰによる通信を要求するように指示をする。
【００３６】
次に、移動局通信装置２のＨＴＴＰ開始要求処理部２４は、無線通信部２１と非ＩＰ系通信部２３を介して、ＨＴＴＰによる通信要求指示信号を受信し、受信した通信要求指示信号からＵＲＬを取り出し、ＨＴＴＰクライアント部２５に送る（Ｓ１０５）。
【００３７】
ＨＴＴＰクライアント部２５は、取り出したＵＲＬのあて先を指定したＨＴＴＰ通信の開始要求を、ＩＰ系通信部２２、無線通信部２１を介して基地局通信装置１に送信し、ＨＴＴＰ通信の開始を要求する。
【００３８】
次に、基地局通信装置１のＨＴＴＰサーバ部１４は、無線通信部１１、ＩＰ系通信部１２を介して、移動局通信装置２からの通信開始の要求を受信し、データ部１７の要求されたＵＲＬから表示データを取り出し、ＩＰ系通信部１２、無線通信部１１を介して移動局通信装置２に表示データの返信を行なう（Ｓ１０６）。
【００３９】
次に、移動局通信装置１のＨＴＴＰクライアント部２５は、無線通信装置２１、ＩＰ系通信部２２を介して、基地局通信装置１から返信された表示データを受信し、表示部２７でそのデータを表示する（Ｓ１０７）。
【００４０】
次に、ＩＣカードが有効と判断された場合には、“いらっしゃいませ”などの表示の後、駐車場の利用料金や、営業時間や空いている駐車ロット番号など、順次使用者が必要とされる情報が移動局通信装置２は更に必要であるので、非ＩＰ系の通信を継続する必要があると判断しＳ１０３に戻る（Ｓ１０８）。これらデータを、例えば５秒ごとに表示するように、基地局アプリケーション部１６に設定しておく。
【００４１】
また、再度、別の情報を入手したい場合は、Ｓ１０２に戻って、非ＩＰ系通信部１２を介して通信を行なうこともできる。
【００４２】
なお、上記実施の形態では、基地局通信装置１及び移動局通信装置２のそれぞれに、無線通信装置１１、２１を設けたが、ＩＰ系通信部１２、２２、非ＩＰ系通信部１３，２３に無線通信の機能を兼用させる場合は、それぞれにアンテナを設けて無線通信をすること
は可能である。
【００４３】
また、基地局通信装置１及び移動局通信装置２のＩＰ系通信部１２、２２のそれぞれにポートを複数個設けることにより、基地局通信装置１と移動局通信装置２の間の通信は上記実施の形態とは別の通信ポートにより行なえることは言うまでもない。
【００４４】
例えば、ＩＰ系通信部２２に通信ポートを２個設け、一方をＨＴＴＰクライアント部２５に他方をＨＴＴＰ開始要求処理部２４に接続することにより、無線通信部２１とＨＴＴＰ開始要求指示部２４，２５をポートを介して通信をすることができる。
【００４５】
さらに、基地局通信装置１と移動局通信装置２の通信は、広域無線通信による通信であっても同様の効果は得られる。
【産業上の利用可能性】
【００４６】
以上のように、本発明の通信システムは、移動局側から開始しなければならない通信を、基地局が意図する任意のタイミングで、移動局に開始させることが出来るという効果を有し、基地局と移動局との間の通信システム、特に狭域無線通信上でＩＰ通信と非ＩＰ通信とを同時に行う通信システム等として有用である。
【図面の簡単な説明】
【００４７】
【図１】本発明の一実施の形態における通信システムのブロック図
【図２】本発明の一実施の形態における通信システムの動作説明のためのフロー図
【符号の説明】
【００４８】
１  基地局通信装置
２  移動局通信装置
１１、２１  無線通信部
１２、２２  ＩＰ系通信部
１３、２３  非ＩＰ系通信部
１４  ＨＴＴＰサーバ部
１５  ＨＴＴＰ開始要求部
１６  路アプリ部
１７  データ部
２４  ＨＴＴＰ開始要求処理部
２５  ＨＴＴＰクライアント部
２６  車アプリ部
２７  表示部
【図１】
2005229367.tif 000003
【図２】
2005229367.tif 000004